(57)【要約】【課題】複数の画像を公開する機能を備える場合、複数の画像のうち、公序良俗に反する画像を検出し、この公序良俗に反する画像に対して閲覧を制限することができるプリント受注・管理サーバーシステムおよび画像ネットワークシステムを提供する。【解決手段】本発明のプリント受注・管理サーバーシステムは、通信ネットワーク上に公開した公開画面によりプリント注文を受け付ける受注システム、受注システムからアップロードされた画像データを管理するアルバム機能、この管理した画像データの画像を第三者に閲覧および注文することを可能にするシェアボックス機能、閲覧可能な画像について画像のアクセス状況およびプリント注文状況の少なくとも一方を管理する画像管理部および画像のアクセス状況および画像のプリント注文状況に基づいて前記閲覧可能な画像を確認する画像確認部を有する。画像管理部は閲覧可能な画像が公序良俗に反する場合、画像の公開を停止または削除する。【選択図】図１
2007317124.tif 000002
【特許請求の範囲】
【請求項１】
通信ネットワーク上に公開した公開画面によって、プリント注文を受け付ける受注システムと、
前記受注システムからアップロードされた画像データを管理するアルバム機能と、
この管理した画像データに基づく画像を前記通信ネットワーク上に公開した公開画面によって第三者に閲覧および注文することを可能にするシェアボックス機能と、
前記閲覧可能な画像について、画像のアクセス状況および画像のプリント注文状況の少なくとも一方を管理する画像管理部と、
前記画像のアクセス状況および前記画像のプリント注文状況に基づいて前記閲覧可能な画像を確認する画像確認部とを有し、
前記画像管理部は、更に前記閲覧可能な画像が公序良俗に反する場合、前記画像の公開を停止するか、または前記画像を削除することを特徴とするプリント受注・管理サーバーシステム。
【請求項２】
前記画像管理部は、更に前記公序良俗に反する画像をアップロードした利用者を特定するものであり、さらに、前記閲覧可能な画像が公序良俗に反するものである場合、前記画像を前記アルバム機能にアップロードした前記利用者の前記ネットセンターへのアクセスを制限するサイト管理部を有する請求項１に記載のプリント受注・管理サーバーシステム。
【請求項３】
前記画像管理部は、更に前記公序良俗に反する画像をアップロードした利用者を特定するものであり、さらに、前記公序良俗に反する画像を前記アルバム機能にアップロードした前記利用者に、前記公序良俗に反する画像が公開を停止されるか、または前記画像が削除される毎に警告をし、前記警告の回数が所定の回数以上になった場合、前記利用者の前記アクセスを制限するサイト管理部を有する請求項１に記載のプリント受注・管理サーバーシステム。
【請求項４】
前記画像管理部は、更に前記公序良俗に反する画像を閲覧した第三者を特定するものであり、前記第三者が所定の期間に、所定の回数閲覧している場合、前記サイト管理部により、前記第三者の前記ネットセンターへのアクセスを制限する請求項１〜３のいずれか１項に記載のプリント受注・管理サーバーシステム。
【請求項５】
前記画像のアクセス状況は、画像を閲覧した第三者の少なくとも年代、性別、およびアクセス時期を統計処理して作成されたものである請求項１〜４のいずれか１項に記載のプリント受注・管理サーバーシステム。
【請求項６】
前記閲覧可能とされた画像は、直接アドレスを指定して前記公開画面によって閲覧することが禁止されている請求項１〜５のいずれか１項に記載のプリント受注・管理サーバーシステム。
【請求項７】
ネットセンターと、
利用者による画像データおよび注文を受け付けて、ネットセンターに送る、ネットセンターに通信ネットワークで接続される受注チャネルと、
利用者の注文に応じた写真プリントを作製する、通信ネットワークでネットセンターに接続されるラボシステムとを有する画像ネットワークシステムであって、
前記ネットセンターは、前記通信ネットワーク上に公開した公開画面によって、前記受注チャネルからの注文を受け付ける受注システムと、前記受注システムからアップロードされた画像データを管理するアルバム機能と、この管理した画像データに基づく画像を前記通信ネットワーク上に公開した公開画面によって第三者に閲覧および注文することを可能にするシェアボックス機能と、前記閲覧可能な画像について、画像のアクセス状況および画像のプリント注文状況の少なくとも一方を管理する画像管理部と、前記画像のアクセス状況および前記画像のプリント注文状況に基づいて前記閲覧可能な画像を確認する画像確認部とを備え、
前記画像管理部は、更に前記閲覧可能な画像が公序良俗に反する場合、前記画像の公開を停止するか、または前記画像を削除することを特徴とする画像ネットワークシステム。
【請求項８】
前記画像管理部は、更に前記公序良俗に反する画像をアップロードした利用者を特定するものであり、さらに、前記閲覧可能な画像が公序良俗に反するものである場合、前記画像を前記アルバム機能にアップロードした前記利用者の前記ネットセンターへのアクセスを制限するサイト管理部を有する請求項７に記載の画像ネットワークシステム。
【請求項９】
前記画像管理部は、更に前記公序良俗に反する画像をアップロードした利用者を特定するものであり、さらに、前記公序良俗に反する画像を前記アルバム機能にアップロードした前記利用者に、前記公序良俗に反する画像が公開を停止されるか、または前記画像が削除される毎に警告をし、前記警告の回数が所定の回数以上になった場合、前記利用者の前記アクセスを制限するサイト管理部を有する請求項７に記載の画像ネットワークシステム。
【請求項１０】
前記画像管理部は、更に前記公序良俗に反する画像を閲覧した第三者を特定するものであり、前記第三者が所定の期間に、所定の回数閲覧している場合、前記サイト管理部により、前記第三者の前記ネットセンターへのアクセスを制限する請求項７〜９のいずれか１項に記載の画像ネットワークシステム。
【請求項１１】
前記画像のアクセス状況は、画像を閲覧した第三者の少なくとも年代、性別、およびアクセス時期を統計処理して作成されたものである請求項７〜１０のいずれか１項に記載の画像ネットワークシステム。
【請求項１２】
前記閲覧可能とされた画像は、直接アドレスを指定して前記公開画面によって閲覧することが禁止されている請求項７〜１１のいずれか１項に記載の画像ネットワークシステム。
【発明の詳細な説明】
【技術分野】
【０００１】
本発明は、通信ネットワーク上に公開した公開画面（Ｗｅｂ画面）を介して、プリント注文をすることができるとともに、複数の画像を公開する機能を備えるプリント受注・管理サーバーシステム、および画像ネットワークシステムに関し、特に、公開された複数の画像のうち、公序良俗に反する画像を検出し、この公序良俗に反する画像に対して閲覧を制限することができるプリント受注・管理サーバーシステム、および画像ネットワークシステムに関する。
【背景技術】
【０００２】
近年では、デジタルカメラが急速に普及している。また、インターネット等の通信ネットワークも広く普及している。
デジタルカメラで撮影された画像は、デジタルの画像データとして扱われるので、通信ネットワークを利用して送信可能であり、これを利用して、様々なサービスが提案／展開されている。
現在、インターネット等の通信ネットワークを利用して、利用者からの（写真）プリント等の注文を受け付け、注文に応じたプリントを作製してプリントを提供する、いわゆるネットプリントサービス（オンラインプリントサービス）を展開すると共に、利用者から転送された画像（画像データ）を保管および管理して、第三者に公開し、第三者に閲覧を可能にする、いわゆる電子アルバムのサービスも展開されている（特許文献１参照）。
【０００３】
特許文献１には、複数のオンライン・写真サービス・サイトから画像形成サービスを要求する複数のクライアント装置を含むオンライン・システムが開示されている。この写真サービス・サイトは、異なるタイプのデジタル画像形成サービスを提供するインターネット上のサイトである。例えば、ある写真サービス・サイトは、画像ホスティング・サービスを提供することができ、一方、他の写真サービス・サイトは、例えば、画像プリント・サービスを提供する。
また、特許文献１のオンライン・システムは、クライアント装置と写真サービス・サイトとの間でインターフェイスとして機能する画像ゲートウェイと呼ばれるサイトをインターネット上に備えている。この画像ゲートウェイは、ゲートウェイ・サーバ、ソフトウェア・メタ・アプリケーション、および一組のサイト・アダプタ・ソフトウェアを含むものである。
【０００４】
また、特許文献１のゲートウェイ・サーバは、ウェブ・サーバの働きをするものであり、メタ・アプリケーションは、アプリケーション・サーバの働きをするものである。このメタ・アプリケーションは、ゲートウェイ・サーバから、同じまたは異なるコンピュータ上に常駐させることができる。ゲートウェイ・サーバは、クライアント装置との接続（ＨＴＴＰ）を提供し、主としてクライアント装置のタイプ、およびそのブラウザ・タイプおよびディスプレイ特性の検出を行なう。このゲートウェイ・サーバは、また、機密保護、コンフィギュレーション、および使用統計の収集を含む管理サービスを提供することが可能なものである。
【０００５】
【特許文献１】特表２００４−５１４９８３号公報
【発明の開示】
【発明が解決しようとする課題】
【０００６】
上述のように、現在、デジタルカメラで撮影した画像をアップロードし、このアップロードした画像をプリント注文することができ、さらに、このアップロードされた画像を第三者に公開することもできる。
【０００７】
しかしながら、このアップロードされた画像に公序良俗に反するものがある場合に、第三者に公開され、第三者に閲覧または悪用されているとき、公開サービスを提供しているネットセンターでは検知することができないという問題点がある。
また、公序良俗に反する画像の公開、閲覧、および悪用の再発を防ぐ仕組みが設けられていないため、情報提供などにより、アップロードされた画像に公序良俗に反するものがあることが分かっても、再度アップロードされた場合には、また公序良俗に反する画像が公開、閲覧されてしまうという問題点がある。
【０００８】
また、特許文献１に開示されているオンライン・システムにおいても、機密保護、コンフィギュレーション、および使用統計の収集を含む管理サービスを提供するゲートウェイ・サーバが設けられている。しかしながら、このゲートウェイ・サーバは、公序良俗に反する画像の検知する手段、ならびに公序良俗に反する画像の公開、閲覧、および悪用の再発を防ぐ仕組みが設けられていない。
このようなことから、現状では、公序良俗に反する画像の公開および閲覧を防ぐことができないとともに、および公序良俗に反する画像の悪用の再発を防ぐことができない。
【０００９】
本発明の目的は、従来技術の問題点を解決することにあり、複数の画像を公開する機能を備える場合、複数の画像のうち、公序良俗に反する画像を検出し、この公序良俗に反する画像に対して閲覧を制限することができるプリント受注・管理サーバーシステムおよび画像ネットワークシステムを提供することにある。
【課題を解決するための手段】
【００１０】
目的達成するために、本発明の第１の態様は、通信ネットワーク上に公開した公開画面によって、プリント注文を受け付ける受注システムと、前記受注システムからアップロードされた画像データを管理するアルバム機能と、この管理した画像データに基づく画像を前記通信ネットワーク上に公開した公開画面によって第三者に閲覧および注文することを可能にするシェアボックス機能と、前記閲覧可能な画像について、画像のアクセス状況および画像のプリント注文状況の少なくとも一方を管理する画像管理部と、前記画像のアクセス状況および前記画像のプリント注文状況に基づいて前記閲覧可能な画像を確認する画像確認部とを有し、前記画像管理部は、更に前記閲覧可能な画像が公序良俗に反する場合、前記画像の公開を停止するか、または前記画像を削除することを特徴とするプリント受注・管理サーバーシステムを提供するものである。
【００１１】
本発明においては、前記画像管理部は、更に前記公序良俗に反する画像をアップロードした利用者を特定するものであり、さらに、前記閲覧可能な画像が公序良俗に反するものである場合、前記画像を前記アルバム機能にアップロードした前記利用者の前記ネットセンターへのアクセスを制限するサイト管理部を有することが好ましい。
また、本発明においては、前記画像管理部は、更に前記公序良俗に反する画像をアップロードした利用者を特定するものであり、さらに、前記公序良俗に反する画像を前記アルバム機能にアップロードした前記利用者に、前記公序良俗に反する画像が公開を停止されるか、または前記画像が削除される毎に警告をし、前記警告の回数が所定の回数以上になった場合、前記利用者の前記アクセスを制限するサイト管理部を有することが好ましい。
【００１２】
さらに、本発明においては、前記画像管理部は、更に前記公序良俗に反する画像を閲覧した第三者を特定するものであり、前記第三者が所定の期間に、所定の回数閲覧している場合、前記サイト管理部により、前記第三者の前記ネットセンターへのアクセスを制限することが好ましい。
また、本発明においては、前記画像のアクセス状況は、画像を閲覧した第三者の少なくとも年代、性別、およびアクセス時期を統計処理して作成されたものであることが好ましい。
さらに、本発明においては、前記閲覧可能とされた画像は、直接アドレスを指定して前記公開画面によって閲覧することが禁止されていることが好ましい。
【００１３】
また、本発明の第２の態様は、ネットセンターと、利用者による画像データおよび注文を受け付けて、ネットセンターに送る、ネットセンターに通信ネットワークで接続される受注チャネルと、利用者の注文に応じた写真プリントを作製する、通信ネットワークでネットセンターに接続されるラボシステムとを有する画像ネットワークシステムであって、前記ネットセンターは、前記通信ネットワーク上に公開した公開画面によって、前記受注チャネルからの注文を受け付ける受注システムと、前記受注システムからアップロードされた画像データを管理するアルバム機能と、この管理した画像データに基づく画像を前記通信ネットワーク上に公開した公開画面によって第三者に閲覧および注文することを可能にするシェアボックス機能と、前記閲覧可能な画像について、画像のアクセス状況および画像のプリント注文状況の少なくとも一方を管理する画像管理部と、前記画像のアクセス状況および前記画像のプリント注文状況に基づいて前記閲覧可能な画像を確認する画像確認部とを備え、前記画像管理部は、更に前記閲覧可能な画像が公序良俗に反する場合、前記画像の公開を停止するか、または前記画像を削除することを特徴とする画像ネットワークシステムを提供するものである。
【００１４】
本発明においては、前記画像管理部は、更に前記公序良俗に反する画像をアップロードした利用者を特定するものであり、さらに、前記閲覧可能な画像が公序良俗に反するものである場合、前記画像を前記アルバム機能にアップロードした前記利用者の前記ネットセンターへのアクセスを制限するサイト管理部を有することが好ましい。
また、本発明においては、前記画像管理部は、更に前記公序良俗に反する画像をアップロードした利用者を特定するものであり、さらに、前記公序良俗に反する画像を前記アルバム機能にアップロードした前記利用者に、前記公序良俗に反する画像が公開を停止されるか、または前記画像が削除される毎に警告をし、前記警告の回数が所定の回数以上になった場合、前記利用者の前記アクセスを制限するサイト管理部を有することが好ましい。
【００１５】
さらに、本発明においては、前記画像管理部は、更に前記公序良俗に反する画像を閲覧した第三者を特定するものであり、前記第三者が所定の期間に、所定の回数閲覧している場合、前記サイト管理部により、前記第三者の前記ネットセンターへのアクセスを制限することが好ましい。
また、本発明においては、前記画像のアクセス状況は、画像を閲覧した第三者の少なくとも年代、性別、およびアクセス時期を統計処理して作成されたものであることが好ましい。
さらに、本発明においては、前記閲覧可能とされた画像は、直接アドレスを指定して前記公開画面によって閲覧することが禁止されていることが好ましい。
【発明の効果】
【００１６】
本発明の第１の態様のプリント受注・管理サーバーシステムおよび第２の態様の画像ネットワークシステムによれば、シェアボックス機能により、通信ネットワーク上に公開した公開画面によって第三者に閲覧することを可能にした閲覧可能な画像について、公序良俗に反する画像に対して、画像毎に閲覧を制限することができる。
【００１７】
また、本発明の第１の態様のプリント受注・管理サーバーシステムおよび第２の態様の画像ネットワークシステムによれば、閲覧可能な画像について、画像のアクセス状況および画像のプリント注文状況の少なくとも一方を管理する画像管理部を設けることにより、閲覧可能な画像におけるプリント注文状況およびアクセス状況を把握することができる。
【００１８】
さらに、本発明の第１の態様のプリント受注・管理サーバーシステムおよび第２の態様の画像ネットワークシステムによれば、画像管理部は、公序良俗に反する画像をアップロードした利用者を特定することができ、さらに、サイト管理部は、閲覧可能な画像が公序良俗に反するものである場合、この画像をアップロードした利用者のアクセスを制限することができるため、公序良俗に反する画像の公開、閲覧および悪用の再発を防止することができる。
【００１９】
さらにまた、本発明の第１の態様のプリント受注・管理サーバーシステムおよび第２の態様の画像ネットワークシステムによれば、画像管理部は、公序良俗に反する画像を閲覧した第三者を特定することができ、第三者が所定の期間に、所定の回数閲覧している場合、サイト管理部により第三者のアクセスを制限することができるため、公序良俗に反する画像の公開、閲覧および悪用の再発を防止することができる。
【発明を実施するための最良の形態】
【００２０】
以下、本発明のプリント受注・管理サーバーシステムおよび画像ネットワークシステムについて、添付の図面に示される好適実施例を基に詳細に説明する。
【００２１】
図１は、本発明の画像ネットワークシステムの第１の実施例のシステム構成を示す模式図である。
図１に示すように、画像ネットワークシステム１０（以下、ネットシステム１０ともいう）は、インターネット等の通信ネットワークを利用して、利用者からの（写真）プリント等の注文を受け付け、注文に応じたプリントを作製してプリントを提供する、いわゆるネットプリントサービス（オンラインプリントサービス）を展開すると共に、利用者から転送された画像（画像データ）を保管および管理して、閲覧を可能にする、いわゆる電子アルバムのサービスも展開する。
【００２２】
本実施例のネットシステム１０は、基本的に、このネットシステム１０を統括／管理するネットセンター（プリント受注・管理サーバーシステム）１２と、利用者がプリントの注文など行なう利用者端末１４と、プリント業者（以下、ラボという）が有するラボシステム１６と、利用者とラボとの仲介役的な役割を果たすリテーラシステム１８とを有して構成される。
また、本実施例のネットシステム１０においては、ネットセンター１２、利用者端末１４、ラボシステム１６、およびリテーラシステム１８は、インターネット等の通信ネットワークによって互いに接続されている。なお、本発明の画像ネットワークシステムにおいては、ネットセンター１２、利用者端末１４、およびリテーラシステム１８は、インターネット等の公開された通信ネットワークによって互いに接続されるが、ラボシステム１６のみは、利用者端末１４およびリテーラシステム１８には接続されず、ネットセンター１２と専用の通信回線で接続されてもよい。
【００２３】
なお、本実施例においては、図面を簡略にしてネットシステム１０の構成を明瞭に示すために、利用者端末１４、ラボシステム１６、およびリテーラシステム１８は、１つのみを図示しているが、本発明は、これに限定はされない。
従って、ネットシステム１０には、複数のラボシステム１６が存在してもよく、また、通常は複数のリテーラシステム１８が存在する。
【００２４】
利用者端末１４は、利用者によるプリント注文、およびネットセンター１２への画像の転送（画像のアップロード）を受け付けるものである。
なお、本実施例のネットシステム１０において、利用者には、このネットシステム１０に登録している会員、および同登録していない非会員とが存在する。また、会員には、ネットセンター１０で利用者の会員情報等を管理するセンター会員と、リテーラシステム１８において利用者の会員情報等を管理するリテーラ会員とが存在する。
【００２５】
利用者端末１４は、基本的に、利用者が有する通信ネットワークに接続可能なパーソナルコンピュータ（以下、ＰＣという）を利用して構成される。
また、本発明のネットシステム１０において、利用者端末１４には、Ｗｅｂブラウザを利用する第１の利用者端末１４ａ、汎用のアプリケーション（オンラインプリントソフトウエア）またはＷｅｂサイトを利用する第２の利用者端末１４ｂ、およびネットシステム１０専用の注文用アプリケーションである注文ソフトを利用する第３の利用者端末１４ｃの３種がある。
【００２６】
Ｗｅｂブラウザを利用する第１の利用者端末１４ａとは、公知のＷｅｂブラウザを利用して、ネットセンター１２（ネットセンター１２が管理する、通信ネットワーク上に公開しているＷｅｂサイト）にアクセス（接続）して、プリントの注文等を行なうものである。
この第１の利用者端末１４ａは、最初からネットセンター１２に接続するのではなく、まず、リテーラシステム１８が通信ネットワーク（Ｗｅｂ上）で公開している公開画面（入口画面）にアクセスし、この公開画面から、ネットセンター１２（後述するフロントエンド１２ｂ）にアクセスする。
【００２７】
汎用のソフトウエアまたはＷｅｂサイトを利用する第２の利用者端末１４ｂとは、ＰＣのオペレーティングシステムに搭載された通信ネットワークを用いるプリント注文機能、デジタルカメラに付属のアプリケーションが有する通信ネットワークを用いるプリント注文機能、通信ネットワーク上に公開されたＷｅｂサイトに設定されたプリント注文機能などを利用して、ネットセンター１２にアクセスして、プリントの注文等を行なうものである。
本実施例のネットシステム１０においては、この形式の第２の利用者端末１４ｂとして、オンラインプリントソフトウエアのみが設定されている。ネットシステム１０において、オンラインプリントソフトウエアには、複数のリテーラシステム１８（リテーラ）が参加しており、このオンラインプリントソフトウエアを用いる第２の利用者端末１４ｂでは、所定の選択画面でプリントを注文するリテーラ（リテーラシステム１８が提供するオンラインプリント注文サービスサイト）の選択を行なった後に、ネットセンター１２にアクセスする。
【００２８】
さらに、専用の注文ソフトを利用する第３の利用者端末１４ｃとは、ネットシステム１０で商品を注文するための専用アプリケーションである注文ソフトをインストールしたＰＣ等であり、この注文ソフトを用いて、ネットセンター１２にアクセスして、プリントの注文等を行なうものである。
この第３の利用者端末１４ｃでは、プリントを注文するリテーラが一義的に決定されていて、リテーラの選択を行なうことなくネットセンター１２にアクセスするようにしてもよい。
【００２９】
なお、１つの利用者端末で、第１の利用者端末１４ａ、第２の利用者端末１４ｂおよび第３の利用者端末１４ｃの少なくとも１つに対応すればよく、これらの２以上に対応してもよいのは、もちろんである。
【００３０】
リテーラシステム１８は、利用者とラボとを仲介役的な役目を果たすシステムであり、例えば、ＰＣ、ワークステーション（ＷＳ）、サーバ機器等によって構成される。このリテーラシステム１８は、例えば、会員情報データベース（以下、会員情報ＤＢという）１８ａを有してもよく、この場合、会員情報ＤＢ１８ａにより、リテーラ会員の会員情報等が管理される。
【００３１】
前述のように、欧州の写真プリント業界においては、リテーラと呼ばれる、利用者とラボとを仲介する仲介業者が存在する。リテーラは、ラボと契約して、化粧品店または薬店等に依頼してプリント注文の受付窓口を設け、利用者からのプリント注文を受け付けて、受け付けたプリント注文をラボに受け渡し、また、必要に応じて、ラボから仕上がったプリントを受け取り、指示された受付窓口などの店舗に送り、また、利用者の自宅に送る。
すなわち、この流通システムにおいては、利用者は、ラボを全く意識することなく、リテーラにプリントを注文する感覚となる。
【００３２】
リテーラシステム１８は、このリテーラの役割を果たすものであり、例えば、前述の仲介業者であるリテーラが有するものである。
前述のように、リテーラシステム１８は、インターネット等の通信ネットワークによって、ネットセンター１２、利用者端末１４、およびラボシステム１６と接続されている。また、リテーラシステム１８は、通信ネットワーク（Ｗｅｂ上）に、第１の利用者端末１４ａがネットセンター１２にアクセスするための公開画面を公開している。
【００３３】
さらに、前述のように、リテーラ会員の会員情報は、このリテーラシステム１８の会員情報ＤＢ１８ａにより管理されている。
また、リテーラシステム１８は、後述するネットセンター１２の会員登録／認証３０ａと同様の機能を有し、リテーラ会員の登録はリテーラシステム１８で行い、また、リテーラ会員がネットセンター１２にアクセスする際には、リテーラシステム１８において、会員の認証を行なう。会員の登録時に、リテーラ会員は、氏名および住所などを登録する。
【００３４】
ネットセンター１２にアクセスするための公開画面（Ｗｅｂ画面）は、一例として、リテーラのホームページ等に、ネットセンター１２（ネットセンター１２が管理するＷｅｂサイト）にリンクするコンテンツ（例えば、「プリントを注文する」、「アルバムを見る」のようなボタン）等を表示することで、形成すればよい。
あるいは、ホームページ等を利用せずに、ネットセンター１２にアクセスするためだけの専用の公開画面を設けてもよい。
【００３５】
ネットシステム１０において、第１の利用者端末１４ａでは、直接、ネットセンター１２（後述するフロントエンド１２ｂ）にアクセスすることは、出来ない。第１の利用者端末１４ａを用いる場合には、利用者は、リテーラシステム１８が通信ネットワーク上で公開している受注システム３０の公開画面を閲覧するためのホームページなどの閲覧公開画面から、ネットセンター１２にアクセスする。
従って、本発明のネットシステム１０においても、利用者は、ネットセンター１２およびラボ（ラボシステム１６）を意識することなく、リテーラに注文する感覚で、プリント等の注文を行なうことができる。
【００３６】
なお、本発明のネットシステム１０においては、リテーラシステム１８と後述するラボシステム１６とは、１つのシステムで構成されるものであってもよい。
【００３７】
ネットセンター１２は、ネットシステム１０を統括するものであり、一例として、ＰＣ、ＷＳ、ネットワーク機器、サーバ機器、ストレージ機器等を組み合わせて構成される。
また、ネットセンター１２は、利用者から送られた画像、会員情報、プリントなどの注文情報、ネットシステム１０を管理運営するための情報など、画像または各種の情報等を保存／管理するためのデータベース／ファイルサーバ（ＤＢ／ＦＳ）１２ａを有する。
【００３８】
図１に概念的に示されるように、ネットセンター１２は、フロントエンド１２ｂおよびバックエンド１２ｃを有する。
このネットセンター１２は、例えば、フロントエンド１２ｂおよびバックエンド１２ｃなどの機能毎に、個々のサーバを割り当て、複数のサーバにより実現されるものであり、必ずしも１つのサーバにより実現されるものではない。
フロントエンド１２ｂは、利用者の注文等を受けるためのサイトであり、利用者端末１４によるアクセスが可能である。すなわち、フロントエンド１２ｂは、利用者がプリントの注文または画像のアップロード等を行なうための、ユーザインターフェイスのような機能を提供する。
【００３９】
他方、バックエンド１２ｃは、ネットシステム１０およびネットセンター１２の管理を行なうためのサイトである。従って、バックエンド１２ｃには、ネットセンター１２を管理する管理システム２４、リテーラシステム１８およびラボシステム１６等、ネットシステム１０を管理／運営するシステムのみがアクセス可能で、利用者端末１４によるアクセスはできない。
【００４０】
ネットセンター１２において、フロントエンド１２ｂは、受注システム３０、オンラインプリント注文３２、アプリケーションダウンロード３４、および注文ソフト受注サーバ３６を有する。
また、受注システム３０は、店検索サイト、会員登録／認証３０ａ、アルバム機能３０ｂ、シェアボックス機能３０ｃ、注文Ｗｅｂ３０ｄおよびキャンペーンを備えるものである。
【００４１】
店検索サイト、会員登録／認証３０ａ、アルバム機能３０ｂ、シェアボックス機能３０ｃ、注文Ｗｅｂ３０ｄ、およびキャンペーン提供を備える受注システム３０は、第１の利用者端末１４ａからアクセスされるものである。
利用者は、第１の利用者端末１４ａを用い、リテーラシステム１８が通信ネットワーク上に公開しているホームページ等の公開画面からネットセンター１２のフロントエンド１２ｂ（受注システム３０）にアクセスして、以下の機能を利用することができる。
【００４２】
受注システム３０において、店検索サイトは、プリント等の商品を受け取る店が決まっていない利用者が、利用可能な店を検索するための検索Ｗｅｂサイトを提供する。例えば、第１の利用者端末１４ａで店検索サイトにアクセスして、国または地域を指定することにより、利用可能な店の一覧と、各店の情報等を表示する。
【００４３】
会員登録／認証３０ａは、センター会員の会員登録、登録している会員情報の変更、会員の認証（サインイン）等の機能を提供する。
本実施例のネットセンター１２においては、会員毎に設定した会員のＩＤ（識別情報、例えば識別番号）とパスワードとを用いて、認証を行なう。なお、会員情報は、後述するバックエンド１２ｃの会員管理４０ａにおいて管理されている。
なお、リテーラシステム１８も、これに準じた会員登録／認証の機能を有し、また、リテーラ会員に関しては、リテーラシステム１８で、会員登録、会員の認証、および会員の情報の管理等を行なうのは、前述のとおりである。従って、リテーラ会員による第１の利用者端末１４ａでのアクセスでは、リテーラシステム１８で認証を行った後にネットセンター１２にアクセスし、このフロントエンド１２ｂでの会員の認証は行なわない。
【００４４】
アルバム機能３０ｂは、会員毎に画像をアルバム（電子アルバム）として保管する機能、会員が第１の利用者端末１４ａでアルバムの画像を表示する機能（会員による自身のアルバムの閲覧機能）、表示したアルバムの画像の回転・スライドショー等の機能を提供する。すなわち、アルバム機能３０ｂは、通信ネットワークによる電子アルバムの機能を提供する。
本実施例において、アルバムには、システムアルバムとマイアルバムとが有る。システムアルバムとは、会員がアップロードした画像を保管するものである。システムアルバムは、ネットセンター１２が初期（会員登録時等）に１会員に１つ、自動的に作成するアルバムである。他方、マイアルバムとは、会員が任意に作成するアルバムで、アップロードした画像を任意にまとめて保管するものである。
会員によってアップロードされた画像は、メニュー方式による場合には、システムアルバムに保管される。また、アルバム方式の場合には、会員の選択により、アップロードされた画像は、システムアルバムまたはマイアルバムに保管される。
【００４５】
なお、利用者端末１４によってアップロードされた画像は、画像を特定する画像コード、会員ＩＤ、リテーラＩＤ、ファイルフォーマット種別、格納ファイルサイズ、格納ファイル名、アップロード日、最新注文日等の情報等を含む画像情報で管理される。
【００４６】
本実施例のネットシステム１０において、会員は、アルバム機能３０ｂによって、各種のアルバム操作、およびアルバム画像編集を行なうことができる。
アルバム操作としては、一例として、マイアルバムの新規作成、マイアルバムの名称の設定・変更、アルバムの一覧表示、マイアルバムの削除等を行なうことができる。なお、システムアルバムは、会員による削除は出来ない。
他方、アルバム画像編集としては、一例として、アルバム内の全画像のスライドショー表示、画像のサムネイル一覧表示、画像の拡大表示、画像の回転表示、画像の追加、画像の表示順変更、画像名称の変更、画像の別のアルバムへのコピーおよび移動（複数選択および一括選択可能）、画像の削除（複数削除および一括削除可能）、アルバムに保管した画像を用いたプリント等の商品注文等を行なうことができる。
【００４７】
シェアボックス機能３０ｃは、会員が自身のアルバムの画像を第三者に公開する機能を提供する。会員は、このシェアボックス機能３０ｃを用いて、アルバムから任意の数の画像を選択して、画像を第三者に公開するためのシェアボックス（複数でも可）を作成することができ、また、シェアボックス内の画像を閲覧するためのＵＲＬ（アドレス）を、知人等に提供することにより、第三者に公開することができる。
第三者は、端末を用い、Ｗｅｂブラウザなどに、シェアボックスのＵＲＬ（アドレス）を入力することにより、シェアボックス内の画像を閲覧することができる。
【００４８】
会員は、シェアボックスの機能を利用して、各種のシェアボックスの操作を行なうことができる。
具体的には、一例として、１つのアルバム内の画像を選択（複数選択および一括選択可能）してのシェアボックスの作成、シェアボックスの公開（例えばメール送信などによる、シェアボックスを閲覧するためのＵＲＬ（アドレス）の提供）、シェアボックスの公開用パスワード設定、シェアボックスの名称の設定、シェアボックスの公開停止、シェアボックスの一覧表示、シェアボックス内の画像のサムネイル画像の一覧表示、シェアボックス内の画像のスライドショー表示、シェアボックス内の画像の拡大表示、シェアボックス公開時の送信メールアドレスの保存・削除・編集等を行なうことができる。
【００４９】
また、第三者は、シェアボックス機能３０ｃを利用して、公開されたシェアボックスに対して、各種の操作を行なうことができる。
具体的には、一例として、シェアボックスの画像の表示（シェアボックスの閲覧）、シェアボックスを閲覧するためのパスワード認証、シェアボックス内の画像のスライドショー表示、シェアボックス内の画像の拡大表示、シェアボックス内から選択した画像を用いたプリント等の商品注文等を行なうことができる。
このシェアボックス機能３０ｃは、後述するバックエンド１２ｃの画像管理４０ｂにより、その機能が制御される。
【００５０】
アルバムおよびシェアボックスに保管した画像の表示は、予め定められた所定期間のみ表示（閲覧）可能であり、アルバムおよびシェアボックでの画像の保管も、予め定められた所定期間である。後述するが、この期間は、リテーラシステム１８等でも設定できる。
【００５１】
なお、ネットセンター１２のフロントエンド１２ｂは、アルバムおよびシェアボックスの他に、非会員がプリント等を注文するためにアップロードした画像を、所定期間、保管する機能を提供する、フォトストレージも有する。なお、フォトストレージに保管した画像は、注文操作中は表示可能であるが、注文が終了した後は、表示することはできない。
【００５２】
注文Ｗｅｂ３０ｄとは、プリント、画像を記録したマグカップまたはＴシャツ等のグッズ、画像を記録したＣＤ等の商品の受注機能を提供する。
前述の第１の利用者端末１４ａでは、この注文Ｗｅｂ３０ｄにアクセスして、商品（プリント、グッズ、ＣＤなど）の選択、商品を注文する画像の選択、プリントを注文する場合にはプリントサイズまたは枚数等を入力／指示する。また、商品の受け取り先（受取店）または配送先、支払い方法等の入力／指示も、必要に応じて、この注文Ｗｅｂ３０ｄによって行なう。
【００５３】
本実施例のネットシステム１０において、注文Ｗｅｂ３０ｄを用いる会員による注文（商品を注文する画像の選択）には、アルバム方式とメニュー方式とが有る。
アルバム方式とは、前述のアルバムに保管された画像から、注文する画像を選択する方式である。他方、メニュー方式とは、第１の利用者端末１４ａによってアップロードした画像から、注文する画像を選択する方式である。なお、注文の有無に関わらず、会員がアップロードした画像は、システムアルバムに保管される。
注文Ｗｅｂ３０ｄを用いる非会員による注文は、メニュー方式と同様の方式のみであり、アップロードした画像は、前述のようにフォトストレージに保管される。
さらに、ネットシステム１０では、第１の利用者端末１４ａで、シェアボックスに保管されている画像の中から、画像を選択して、商品を注文することもできる。但し、前述のように、シェアボックスの画像の表示には、前述のようにＵＲＬ（アドレス）が提供されていることが前提になるため、画像の注文もＵＲＬ（アドレス）の提供が前提となる。
【００５４】
本実施例のネットシステム１０において、この注文Ｗｅｂ３０ｄが提供するプリント注文画面などの公開画面は、リテーラシステム１８毎に設けられており、また、後述するバックエンド１２ｃのモディファイおよびカスタマイズによって、リテーラシステム１８（リテーラ）毎に変更可能である。
【００５５】
キャンペーン提供とは、前述のリテーラ（あるいはラボ）が行なう各種のキャンペーンを、利用者に提供する機能である。キャンペーンとは、注文料金の値引き、各種のグッズのプレゼントなどの、注文に対する特定サービスの総称である。
キャンペーンは、例えば、リテーラシステム１８が通信ネットワーク上で公開しているホームページでの告知、または第３の利用者端末１４ｃがアクセスしてきた際にキャンペーンの情報を表示することで告知する。また、キャンペーンの対象とする利用者端末１４の種類を選択（第１の利用者端末１４ａ、第２の利用者端末１４ｂ、および第３の利用者端末１４ｃの１以上）することも可能である。
また、キャンペーン提供は、後述するバックエンド１２ｃのキャンペーン管理によって、リテーラ（リテーラシステム１８）およびラボ（ラボシステム１６）毎に申請／設定できる。
【００５６】
オンラインプリント注文３２は、第２の利用者端末１４ｂによる注文を受ける機能を提供する。
第２の利用者端末１４ｂは、このオンラインプリント注文３２にアクセスする。第２の利用者端末１４ｂには、利用可能なリテーラ（リテーラシステム１８が提供するオンラインプリント注文サービスサイト）の一覧、各リテーラの価格等が表示される。また、第２の利用者端末１４ｂによって、リテーラの選択、プリントを注文する画像の選択およびアップロード、プリントを注文する画像の選択、プリントサイズ、枚数、商品の受け取り先（受取店）、配送先、支払い方法等の入力／指示を行なう。
なお、本実施例において、第２の利用者端末１４ｂによる注文は、非会員による注文の扱いとなる。従って、第２の利用者端末１４ｂによってアップロードされた画像は、前述のフォトストレージに保管される。なお、本発明は、これに限定はされず、第２の利用者端末１４ｂが会員による注文に対応してもよいのは、もちろんである。
【００５７】
アプリケーションダウンロード３４とは、オンラインプリントソフトウエアおよび注文ソフトウエアのインストーラをダウンロードするＷｅｂサイト機能を提供する。
前述の第２の利用者端末１４ｂ、および第３の利用者端末１４ｃは、共に、利用者のＰＣ等で、このアプリケーションダウンロード３４にアクセスしてＯＰＷおよび注文ソフトウエアのインストーラをダウンロードし、このインストーラでＯＰＷおよび注文ソフトウエアをインストールすることにより、本発明のネットシステム１０の利用者端末１４（第２の利用者端末１４ｂおよび第３の利用者端末１４ｃ）として機能する。
【００５８】
注文ソフト受注サーバ３６は、第３の利用者端末１４ｃでの注文を受ける機能を提供する。前述の注文ソフトウエアには、ネットセンター１２と通信を行なうことで第３の利用者端末１４ｃによる注文機能を利用者に提供するインターフェイスである、注文モジュールが組み込まれている。注文ソフト受注サーバ３６は、この注文モジュールを介して、第３の利用者端末１４ｃによる注文機能に関する一連の機能を提供する。
第３の利用者端末１４ｃでは、注文ソフト受注サーバ３６を利用して、プリントを注文する画像の選択、プリントサイズ、枚数、商品の受け取り先または配送先、支払い方法等の入力／指示を行なう。なお、注文ソフト受注サーバ３６を用いる商品の注文において、画像の選択は、一例として、メニュー方式と同様に行なう。
【００５９】
また、本実施例のネットシステム１０において、第３の利用者端末１４ｃによる商品の注文は、会員専用である。従って、第３の利用者端末１４ｃによってネットセンター１２にアクセスする際には、会員ＩＤおよびパスワードによる認証が行なわれ、また、アップロードされた画像は、この会員のシステムアルバムに保管される。なお、本発明は、これに限定はされず、例えば、第３の利用者端末１４ｃでの注文は、非会員も可能にしてもよい。
【００６０】
一方、図１に示すように、ネットセンター１２において、バックエンド１２ｃは、前述のように、ネットシステム１０およびネットセンター１２の管理を行なうためのサイトであり、モディファイ、カスタマイズ、デザイン確認用サーバ２６、会員管理４０ａ、画像管理（画像管理部）４０ｂ、基本情報管理、商材管理、サイト管理（サイト管理部）４０ｃ、注文管理４０ｄ、ワークフロー、キャンペーン管理、ラボ受注サーバ４２、決済、および課金管理を有する。
【００６１】
モディファイおよびカスタマイズは、共に、商品の注文画面等、前述の注文Ｗｅｂ３０ｄが提供する公開画面の変更機能を提供する。前述のように、注文Ｗｅｂ３０ｄが提供する公開画面は、リテーラシステム１８毎に設定されており、さらに、モディファイおよびカスタマイズによって、リテーラシステム１８毎に変更可能であるので、これにより、リテーラ毎に独自性を出すことができる。
また、デザイン確認用サーバ２６は、モディファイおよびカスタマイズによって変更した公開画面を、リテーラシステム１８等によって確認するためのものである。言い換えれば、デザイン確認用サーバ２６は、モディファイまたはカスタマイズで変更した公開画面を、注文Ｗｅｂ３０ｄの本番環境に反映させる前に確認するための確認環境を、リテーラシステム１８に提供するものである。
【００６２】
なお、本発明のネットシステム１０は、これに限定はされず、注文Ｗｅｂ３０ｄのみならず、フロントエンド１２ｂが提供する他の公開画面、すなわち、利用者のためのユーザインターフェイスを提供する各公開画面も、リテーラシステム１８毎に設定／変更可能にしてもよい。
【００６３】
モディファイは、レイアウト変更のように、大幅な画面の変更を行なう機能である。モディファイによる公開画面の変更（デザイン）は、リテーラなどの依頼に応じて、通信ネットワーク（あるいは専用回線でも可）でネットセンター１２に接続される画面開発システム２２によって行なわれる。
モディファイでは、画面開発システム２２は、公開画面を作成したら、確認環境であるデザイン確認用サーバ２６に、作成した公開画面をアップロードする。リテーラシステム１８は、デザイン確認用サーバ２６に変更した公開画面がアップロードされると、デザイン確認用サーバ２６にアクセスして画面を確認し、適正であると判断した場合には、注文Ｗｅｂ３０ｄの本番環境への反映および反映の開始日をネットセンター１２（後述するワークフロー）に申請する。これに応じて、反映開始日に、変更された公開画面が本番環境に反映される。
【００６４】
他方、カスタマイズは、先のモディファイのような大幅な画面変更ではなく、注文Ｗｅｂ３０ｄの公開画面のフォント、または色の変更等、簡易な注文Ｗｅｂ３０ｄの公開画面の変更を行なう機能である。本実施例においては、一例として、ウエブ画面のデザインテンプレート、ロゴ画像、画面の背景色、フォントの文字色、リンク色、画面タイトルフォント文字種、画面内に定義された各領域の文字色、画面内に定義された各領域の背景色の、それぞれの項目について、複数の選択肢が設定されており、この中から任意のものを選択して、注文Ｗｅｂ３０ｄの公開画面の変更を行なうことができる。
なお、これらの各項目の選択肢屋、その色またはデザイン等は、適宜、前述の画面開発システム２２が作成して、カスタマイズに設定する。すなわち、カスタマイズにおける公開画面変更の選択肢は、適宜、画面開発システム２２によって変更され、これにより、注文Ｗｅｂ３０ｄ画面に季節感または地域色等を出すことができる。
【００６５】
モディファイを行なう場合には、リテーラシステム１８（バックエンド１２ｃにアクセスが可能なシステム）でモディファイ機能にアクセスして、デザインテンプレート、ロゴ画像、文字色等の選択／変更を行なって、公開画面の変更設定を行なう。
この設定変更を反映した公開画面は、デザイン確認用サーバ２６に送られ、リテーラシステム１８で表示可能となる。リテーラシステム１８は、この画面を適正であると判断した場合には、先と同様に、注文Ｗｅｂ３０ｄの本番環境への反映および反映の開始日をネットセンター１２に申請し、申請に応じて変更後の公開画面が本番環境に反映される。
【００６６】
なお、本実施例のネットシステム１０において、注文Ｗｅｂ３０ｄ画面の変更は、リテーラシステム１８からのアクセスまたは要求ではなく、ラボシステム１６からのアクセスまたは要求に応じて行なってもよい。
【００６７】
会員管理４０ａは、センター会員の会員情報の管理（新規会員の登録の管理、各種情報の変更／追加／更新等を含む）、会員情報の検索、会員情報のダウンロード等の会員情報の管理機能を提供する。また、本実施例においては、会員管理４０ａは、センター会員のアクセスを制限する機能を有する。
【００６８】
センター会員の情報としては、会員ＩＤ、パスワード、公開画面で文字を表示させるための表示言語、E-mailアドレス、商品の受取店のＩＤ（選択店ＩＤ）、氏名、住所、電話番号、配送先等の情報が例示される。また、センター会員の会員情報には、これに加え、会員登録を仲介したリテーラ（リテーラシステム１８）など、会員が属するリテーラを示すリテーラＩＤも付される。
なお、リテーラ会員に関しては、前述のように、会員情報はリテーラシステムで管理しているが、ネットセンター１２の会員管理４０ａでも、会員ＩＤ（ネットセンターが付した会員ＩＤ）、会員登録をしているリテーラのリテーラＩＤ、および会員毎にリテーラで付している会員ＩＤ（リテーラユニークＩＤ）を対応付して管理している。また、本実施例においては、会員管理４０ａは、リテーラ会員のアクセスを制限する機能を有する。
【００６９】
また、会員情報の検索とは、リテーラシステム１８が、或る任意の条件に合致したセンター会員を検索する機能を提供するものである。さらに、会員情報のダウンロードとは、リテーラシステム１８が、自身に関連するセンター会員の情報をダウンロードする機能を提供するものである。
【００７０】
画像管理４０ｂは、前述のアルバム、シェアボックス、フォトストレージなどの保管容量、画像の保管期間または表示期間等の管理機能を提供する。
画像管理４０ｂは、リテーラシステム１８またはラボシステム１６からの要求に応じて、リテーラシステム１８毎またはラボシステム１６毎に、会員一人当たりのアルバムの容量、画像の保管期間、画像の表示期間を設定する。すなわち、アルバムの容量、画像表示期間および保管期間は、リテーラシステム１８またはラボシステム１６（すなわち、リテーラまたはラボ）が設定することができる。なお、表示期間と保管期間は、同じでも異なってもよい。
また、画像管理４０ｂは、表示期間を過ぎた画像に関しては表示を停止し、保管期間を過ぎた画像は削除し、容量をオーバーしたアルバムなどに関しては、警告等でその旨を会員に知らせる。さらに、表示期間の満了などを電子メール等で会員に通達してもよい。
【００７１】
さらに、画像管理４０ｂは、アップロードされた画像がシェアボックスとして公開され、アクセスされた場合に、アクセスをカウントするアクセスカウント機能を有する。
また、画像管理４０ｂには、後述するように画像が公序良俗の画像であるかを確認される判定基準（アクセス頻度（一定期間内でのアクセス数））が記憶されている。
【００７２】
なお、ネットシステム１０においては、商品を注文された画像と未注文画像とで、表示期間および／または保管期間を変えてもよく（例えば、注文によって期間延長する）、会員と非会員とで期間を変えてもよい。
【００７３】
また、画像管理４０ｂは、画像を保管しないマイアルバム、フォトストレージ、シェアボックスを、定期的に削除する。
さらに、画像管理４０ｂは、公序良俗に反する画像を保管しているシェアボックスについては、公序良俗に反する画像に対して、公開を強制的に停止するか、または画像を削除する機能を有する。
【００７４】
基本情報管理は、ラボシステム１６、リテーラシステム１８、および受取店の各基本情報の管理機能を提供する。
基本情報管理では、各ラボシステム１６（ラボシステム１６を有するラボ）と提携しているリテーラシステム１８（リテーラシステム１８を有するリテーラ）、および各リテーラシステム１８と提携している受取店を、対応付けして登録／管理すると共に、各ラボシステム１６、リテーラシステム１８、および受取店について、それぞれの基本情報を管理し、また、要求または必要に応じて、基本情報を変更／更新する。
【００７５】
ラボシステム１６の情報としては、ラボのＩＤ（ラボＩＤ）、名称、電話番号、所在国、サービスを提供する国、およびラボシステム１６がネットセンター１２にアクセスする際に必要なパスワード（ラボ認証コード）等が例示される。
リテーラシステム１８の情報としては、リテーラのＩＤ、名称、略称、所在国、サービスを展開する国、サポートする言語、提携するラボのラボＩＤ（所属ラボＩＤ）等が例示される。
受取店の情報としては、店のＩＤ、名称、電話番号、所在国、郵便番号、提携するリテーラのＩＤ（所属リテーラＩＤ）、所属するリテーラが所属するラボのＩＤ（所属ラボＩＤ）、ラボが受取店に付与するユニークな管理コード（ラボ管理用店コード）、リテーラが受取店に付与するユニークな管理コード（リテーラ管理用店コード）等が例示される。
【００７６】
商材管理は、ラボシステム１６を有するラボ、リテーラシステム１８を有するリテーラ、および受取店が取り扱う商品の管理機能を提供する。
本実施例のネットシステム１０においては、一例として、会員または非会員から受け取った画像を再生した（写真）プリント、同画像を保存したＣＤ、および同画像を再生したグッズ（例えば、マグカップまたはＴシャツなど）を、利用者に提供する。
商材管理は、各リテーラシステム１８またはラボシステム１６が取り扱う商品（商材）の設定、商品の価格の設定、注文Ｗｅｂ３０ｄ等における商品の表示等の機能を提供する。また、商材管理は、利用者端末１４を用いた利用者による商品の注文（注文の入力指示）に応じて、注文に関する情報である注文設定情報（画像、商材の種類、プリントサイズ、数など）を生成する機能も提供する。
取り扱う商品、および商品の価格は、商材管理の機能によって、リテーラシステム１８毎またはラボシステム１６毎に、申請／設定できる。すなわち、取り扱い商品、または商品の価格は、リテーラまたはラボが設定することができる。
【００７７】
各商品（商材）には、受取店、リテーラ、およびラボ毎に価格情報が設定されており、それぞれ、下記の情報で管理される。
受取店商材価格（以下、店商材価格という）は、受取店で決定する商品の価格で、リテーラシステム１８が価格を管理する。ネットシステム１０においては、店価格はリテーラシステム１８が承認した場合のみに有効となる。店商材価格は、商材ＩＤ、受注チャネルコード、店ＩＤ、区分１価格〜区分ｎ価格等が対応付して管理される。
リテーラ商材価格は、リテーラシステム１８で設定した商品の価格であり、リテーラシステム１８が価格を管理する。リテーラ商材価格は、商材ＩＤ、受注チャネルコード、リテーラＩＤ、区分１価格〜区分ｎ価格等が対応付して管理される。
ラボ商材価格は、ラボシステム１６で設定した商品の価格であり、ラボシステム１６が価格を管理する。ラボ商材価格は、商材ＩＤ、受注チャネルコード、区分１価格〜区分ｎ価格等が対応付して管理される。
なお、上記の「区分」とは、注文数に応じて分けられた区分であり、「ｎ」が大きくなるほど、多数の注文となり、通常、価格は安くなる。また、受注チャネルコードとは、注文をした利用者端末１４が、第１の利用者端末１４ａ、第２の利用者端末１４ｂ、第３の利用者端末１４ｃの何れを利用するものかを示すコードである。
【００７８】
サイト管理４０ｃは、利用者へのお知らせの情報、統計情報、アプリケーションのダウンロード情報など、ネットシステム１０を運用するための各種の管理機能を提供する。
具体的には、ネットシステム１０においては、リテーラシステム１８、ラボシステム１６、およびネットセンター１２のそれぞれに対応して、ネットシステム１０を運用管理するために、各システムを管理する管理者向けの各種の管理機能が設定されており、サイト管理４０ｃが、これらの管理機能を提供する。
また、このサイト管理部４０ｃは、利用者のネットセンター１２へのアクセスを制限すること、および第三者（閲覧者）のネットセンター１２へのアクセスを制限することもできる。このアクセスの制限は、後述するように、例えば、公序良俗の画像をアップロードした場合、または公序良俗の画像を閲覧した場合などにより、なされるものである。
【００７９】
リテーラ管理者向けの管理機能としては、リテーラのプロファイル情報（メールアドレスまたはパスワードなど）の登録／変更／削除を行なうリテーラ運用者管理；  対応する商品、価格の情報、商品の受取方法、決済方法の情報、キャンペーン情報、メールテンプレートの作成などのリテーラ詳細情報の設定／更新；  名称、国、言語、対応する利用者端末１４などのリテーラ基本情報の更新；  リテーラから利用者に向けた告知、連絡である「お知らせ情報」の登録／変更／更新；  受取店での商品価格の変更；  会員数等の統計情報の収集；  公開画面のデザイン設定／変更；  会員情報の変更；  等が例示される。
【００８０】
ラボ管理者向けの管理機能としては、ラボのプロファイル情報の登録／変更／削除を行なうリテーラ運用者管理；  ラボ注文画像容量、保管期間の情報、対応する商品、価格の情報、商品の受取方法、決済方法の情報、対応する利用者端末１４の情報などのラボ詳細情報の設定／更新；  リテーラ業務運用者の登録、リテーラ基本情報の登録などのリテーラ登録；  名称、ラボ管理用店コード、リテーラ管理用店コードなどの店基本情報の登録／更新などの店の登録／更新；  リテーラ情報の変更申請を承認もしくは却下するリテーラ情報変更申請の承認／却下；  会員数などの統計情報の収集；  リテーラ毎の注文画像容量、保管期間の変更、公開画面のデザインレイアウト変更などのリテーラ拡張情報の登録／変更；  等が例示される。
【００８１】
ネットシステム１０において、センター管理者（以下、管理者という）は、ラボ業務運用者との対応窓口となる。
このような管理者（運用者）向けの管理機能としては、注文ソフトウエア、注文モジュールのバージョン制御、共通メールテンプレートの作成などのセンター設定情報の登録／変更／削除；  ネットセンター１４のプロファイル情報の登録／変更／削除を行なうセンター運用者管理；  名称、国、所有するプリンタの解像度、対応する画像などのラボ基本情報の登録、ラボ業務運用者登録などのラボ基本情報登録；  ラボまたはリテーラに向けた告知または連絡である「センター運用お知らせ」の登録／変更／削除；  ラボが承認したリテーラ情報の変更申請のキャンセル、ラボ情報の変更申請を承認もしくは却下、またはキャンセルする、ラボ情報の変更申請の承認／却下／本番環境への適用キャンセル；  会員数などの統計情報の収集；  異常にアクセス数の多い画像の公序良俗をチェックして、必要に応じて削除する公序良俗チェック；  等が例示される。
なお、この管理者による運用管理は、例えば、前述の通信ネットワークによってネットセンター１２に接続される、ネットセンター運用管理用の管理システム（画像確認部）２４（管理Ｗｅｂ）によって行なわれる。
【００８２】
注文管理４０ｄは、注文情報の生成、検索または表示など、注文に関する管理機能を提供する。
前述のように、利用者による注文が行なわれると、商材管理によって、注文設定情報が生成される。注文管理４０ｄでは、利用者による注文が確定し、利用者による商品の受取方法および決済方法の選択等が行なわれて、注文が完了（注文確定）すると、注文設定情報等を用いて料金計算等の必要な演算を行なって所定の情報を生成して、注文情報を生成する。なお、決済方法がクレジット決済、またはデビット決済（キャッシュカードによる決済）の場合には、後述する決済によるオーソリ（与信）の結果も、注文情報に付加する。
【００８３】
生成した注文情報は、ラボ受注サーバ４２に送られ、保管される。また、ラボ受注サーバ４２に保管された注文情報は、ラボシステム１６あるいはさらにリテーラシステム１８で、検索または表示を行なうことができる。
さらに、注文管理４０ｄでは、生成した注文情報を、所定の期間、保管／管理して、保管期間を過ぎた注文情報は、削除する。
【００８４】
ネットシステム１０において、注文情報は、「注文」、「注文明細」および「注文明細画像」の３つの対応付けされた情報からなる。
「注文」には、この注文（注文情報）を特定する注文コード、注文日時、受注チャネルのＩＤ、利用者が操作する端末ＩＤ、リテーラＩＤ、会員ＩＤ、ラボＩＤ、料金に関する情報（基本料金および配送料金等）、受取方法に関する情報、受取店ＩＤ、配送先または商品の受け渡しに関する情報、決済方法に関する情報等が含まれる。
「注文明細」には、注文明細を特定する注文明細コード、商品種別、商材ＩＤ、商品名称、合計注文価格、価格体系種別（ラボまたはリテーラ毎に設定された価格設定の情報）等の情報が含まれる。
さらに、「注文明細画像」には、画像コード、注文数量等の情報が含まれる。
【００８５】
本実施例においては、この「注文明細画像」の画像コードによって、画像を注文された画像の画像情報と、注文情報とが対応付けされる。
画像情報には、前述のように、画像を特定する画像コード、会員ＩＤ、リテーラＩＤ、ファイルフォーマット種別、格納ファイルサイズ、格納ファイル名、アップロード日、最新注文日等の情報が含まれる。
【００８６】
ワークフローは、ネットシステム１０の運営管理を行なう上での価格・商品等の設定変更に対するワークフローの機能を提供する。
ワークフローは、テーラシステム１８またはラボシステム１６から、リテーラまたはラボの情報（基本情報、詳細情報）の変更、料金の変更、受取店の情報に検する変更、実施するキャンペーンの登録または更新、公開画面の変更が申請されると、この申請が適正で有るか否かを判定して、承認もしくは却下を決定し、承認の場合には、申請された変更を確定して、この変更内容を、ネットシステム１０に適用する。
【００８７】
ここで、変更内容のネットシステム１０の適用には、「即日反映」と「適用日指定」とがある。
例えば、リテーラとラボとの間の契約に影響する料金設定などを除く、ラボまたはリテーラの情報に関しては、基本的に、確定したら即時にネットシステム１０に反映される（即日反映）。
他方、商品の価格変更などの料金変更は、ラボまたはネットセンターの管理者が承認した後、指定した適用日にネットシステム１０に反映される。また、前述の注文Ｗｅｂ３０ｄの公開画面の変更またはキャンペーンに関する変更も、基本的に、リテーラシステム１８（あるいは、ラボシステム１６）から指定された日に、ネットシステム１０に反映される（適用日反映）。
【００８８】
キャンペーン管理は、各種のキャンペーンの登録／検索、中止、クーポン発行等の管理機能を提供する。
本実施例のネットシステム１０においては、キャンペーンは、一例として、料金割引と付録プレゼント等が例示され、さらに、料金割引には、直接的な料金の値引きと、値引きを提供するためのユニークなＩＤであるクーポンの発行とが有る。また、キャンペーンは、対象とする受注チャネルを選択して行なうことができる。リテーラシステム１８（あるいはラボシステム１６）は、キャンペーン管理の機能を利用して、キャンペーンを任意に設定して、登録し、フロントエンド１２ｂのキャンペーンに反映させることができる。
また、リテーラシステム１８（あるいはラボシステム１６）は、キャンペーン管理を利用して、キャンペーンの検索／表示、実施前のキャンペーンの変更または実施中のキャンペーンの中止（キャンペーンの更新）、キャンペーン情報の削除、クーポンの発行等を行なうことができる。
【００８９】
ラボ受注サーバ４２は、後述する受注モジュール１６ａを介して、ラボシステム１６に対して、注文情報および画像データの送信等、ラボシステム１６における注文の受注機能を提供する。
前述のように、注文情報は、このラボ受注サーバ４２に送られ、また、注文情報に対応する画像データも、ラボ受注サーバ４２に送られる（以下、１件の注文情報と対応する画像データとをまとめて、注文ジョブともいう）。ラボ受注サーバ４２は、ラボシステム１６からの要求に応じて、注文の一覧情報をラボシステム１６に転送し、また、ラボシステム１６から要求された注文１件分の注文ジョブを、ラボシステム１６に転送する。
【００９０】
決済は、決済方法がクレジット決済またはデビット決済の場合に、決済サイト２０から、決済のオーソリ（与信）を取得する機能を提供するものである。
なお、決済サイト２０とは、通信ネットワークでネットセンター１２と接続された、公知のオンライン決済を行なうためのＷｅｂサイトである。ネットセンター１２では、この決済サイトに対しては、オーソリ取得のみを行なう。
【００９１】
課金管理は、所定期間内にネットセンター１２（システムアルバムまたはシェアボックス）にアップロードされた画像または、注文された商品等を統計して、リテーラシステム１８またはラボシステム１６毎に集計し、ネットシステム１０を運用するために各リテーラシステム１８（リテーラ）またはラボシステム１６（ラボ）に要求する課金の演算する機能を提供する。
【００９２】
ラボシステム１６は、ＰＣまたはＷＳ、サーバ機器等で構成される、ラボ（プリント業者）に設置されるシステムであり、デジタルの写真プリンタまたは各種グッズへの印画装置等に接続される（あるは、これらと一体的に構成される）。
ラボシステム１６には、ネットセンター１２からの商品注文取り込み用のアプリケーションである受注ソフトがインストールされる。この受注ソフトには、ラボシステム１６がネットセンター１２（ラボ受注サーバ４２）から注文ジョブを取得するためのインターフェイスを提供する、受注モジュール１６ａが含まれる。
ラボシステム１６は、この受注モジュール１６ａを用いて、注文情報の一覧を取得し、自身に対応する注文ジョブの転送を要求し、取得する。ラボ（ラボシステム１６）では、注文ジョブに応じた商品を作成して、注文情報に応じた配送先または受取店に、商品を配送する。また、ラボシステム１６は、注文情報に付加されたオーソリの情報等に応じて、クレジット決済の確定／キャンセル、デビット決済のキャンセルを決定し、その結果を、決済サイト２０に送る
【００９３】
前述のように、会員は、第１の利用者端末１４ａによってリテーラシステム１８が通信ネットワーク上に公開している公開画面にアクセスし、この公開画面からネットセンター１２（フロントエンド１２ｂ）にアクセスして、システムアルバムへの画像のアップロードを行なうことができる。また、会員は、同様に、ネットセンターにアクセスして、アルバムが保管している画像から任意の画像を選択し（アルバム方式）、あるいは、画像をアップロードして、その中から画像を選択し（メニュー方式）、商品を注文できる。会員がメニュー方式でアップロードした画像は、システムアルバムに保管される。
さらに、非会員も、第１の利用者端末１４ａで同様にネットセンターにアクセスして、メニュー方式に準じる方法で商品を注文できる。非会員がアップロードした画像は、前述のように、フォトストレージに保管される。
【００９４】
また、利用者は、第２の利用者端末１４ｂを用いて、オンラインプリント注文３２によって、メニュー方式と同様にして、画像をアップロードして商品の注文を行なうことができる。前述のように、ネットシステム１０においては、第２の利用者端末１４ｂによる注文は、非会員扱いとなるので、アップロードした画像は、フォトストレージに保管される。
さらに、利用者は、第３の利用者端末１４ｃを用いて、注文ソフト受注サーバ３６によって、画像をアップロードして商品の注文を行なうことができる。前述のように、ネットシステム１０においては、第３の利用者端末１４ｃによる注文は、会員限定となるので、アップロードした画像は、システムアルバムに保管される。
【００９５】
ネットセンター１２では、利用者端末１４による注文に応じて、商材管理によって注文設定情報を生成し、注文が確定すると、注文管理４０ｄが注文情報を生成し、注文ジョブ（注文情報と、対応する画像データ）をラボ受注サーバ４２に送る。
ラボシステム１６は、受注モジュール１６ａを用いてラボ受注サーバ４２内の注文情報の一覧を閲覧し、自身に関連する注文ジョブの転送を要求し、転送された注文ジョブの注文情報に応じたプリント等の商品を作成して、配送する。
【００９６】
従って、ネットシステム１０によれば、利用者は、従来の欧州におけるプリントの商取引と同様に、ラボまたはネットセンター１２を意識することなく、あたかもリテーラに対してプリント等の注文を行い、リテーラから商品を受け取る感覚となる。
また、インターネット等の通信ネットワークを利用するので、営業時間を気にせず、かつ、何処からでも商品の注文が可能で、さらに、電子アルバムサービスの提供または、第三者への公開アルバムサービスの提供も可能である。
さらに、リテーラまたはラボで共有化できるものは共有化して、利用者に対するインターフェイス機能または、ネットシステム１０の管理機能をネットセンター１２に集約しているので、集配業務、利用者（顧客）管理、および決済処理の簡素化等を図ることができると共に、システム運用の簡素化または運用費の低減も測れる。しかも、多くの場合、トラブルまたはネットシステム１０のバージョンアップも、ネットセンター１２で集中的に対応できるので、運用の安定化またはトラブル対応の迅速化も図ることができる。
【００９７】
ところで、ネットセンター１２のバックエンド１２ｃの課金管理は、所定期間内における画像のアップロード量等から、ネットシステム１０を運用するために各リテーラシステム１８（リテーラ）またはラボシステム１６（ラボ）に課す課金を演算する機能を提供する。
課金管理は、上述のような利用者による画像のアップロード、および商品の注文から配送に至るまでの各種の情報の流れにおいて、システムアルバムおよびフォトストレージにアップロードされる画像、およびラボ受注サーバ４２に送られる注文情報を監視しており、例えば１カ月などの所定期間内にシステムアルバムおよびフォトストレージにアップロードされた画像、およびラボ受注サーバ４２に送られた注文情報を集計する。
【００９８】
ここで、前述のように、画像情報には、アップロード日、リテーラＩＤ、会員ＩＤ、格納ファイルサイズ等の情報が付されている。また、会員情報にも、リテーラＩＤが付されている。さらにリテーラ情報には、ラボＩＤが付されている。
従って、課金管理では、会員毎、リテーラシステム１８毎、ラボシステム１６毎に、所定期間内にアップロードされた画像数または、アップロードされた画像のデータ量などを集計することができる。
【００９９】
また、画像情報には、上記各情報に加え、最新注文日の情報が付されている。さらに、注文情報の「注文」には、会員ＩＤ、ラボＩＤ、リテーラＩＤ、および注文店ＩＤの各情報が、同「注文明細」には、商材ＩＤおよび注文合計価格の各情報が、同「注文明細画像」には、画像コードおよび注文数量の各情報が、それぞれ付されている。
従って、課金管理は、受取店毎、会員毎、リテーラ毎、およびラボ毎に、所定期間内に商品を注文された画像のデータ量を集計できる。また、課金管理は、受取店毎、会員毎、リテーラ毎、およびラボ毎に、所定期間内における、注文件数、商品注文量（価格または個数）なども集計できる。
【０１００】
ネットセンター１２では、このようにして課金管理が演算した、ネットシステム１０の運営のためにラボまたはリテーラに課す課金を、例えば、通信ネットワークを利用してリテーラシステム１８またはラボシステム１６に請求する。
【０１０１】
また、本発明によれば、ネットセンター１２で画像の流通量または注文を一元的に管理できるので、これに応じて、ネットシステム１０の運営のために各ラボまたはリテーラに課す課金を算出することにより、平等かつ適正な課金を行なうことができる。
【０１０２】
次に、本実施例のネットシステム１０における公序良俗に反する画像の特定方法およびその処置方法について、第１の利用者端末１４ａからネットセンター１２にアクセスし、受注システム２０のシェアボックス機能３０ｃを用いて画像を第三者（以下、閲覧者ともいう）に公開している場合を例にして、説明する。
ここで、図２は、本実施例の画像ネットワークシステムにおける公序良俗に反する画像の特定方法およびその処置方法を工程順に示すフローチャートである。
【０１０３】
図２に示すように、先ず、利用者が第１の利用者端末１４ａを介してネットセンター１２にアクセスし、受注システム２０のアルバム機能３０に複数の画像の画像データをアップロードし、画像をアルバム（電子アルバム）として保管する（ステップＳ１０）。
次に、シェアボックス機能３０ｃにより、アップロードした画像を第三者に閲覧可能な状態とし、第三者に公開する（ステップＳ１２）。
なお、本実施例においては、画像管理４０ｂは、アップロードされた各画像に対して、それぞれアクセスをカウントするアクセスカウント機能を有する。
【０１０４】
次に、利用者が公開した画像に第三者がアクセスし、画像を閲覧した場合（ステップＳ１４）、画像のアクセスカウントがカウントアップされる（ステップＳ１６）。
次に、画像のアクセスカウントが一定期間内に、一定回数以上であるか否か判定される（ステップＳ１８）。ステップＳ１８において、一定期間内に一定回数以上（アクセス頻度）とは、例えば、１日以内に、アクセスカウントが１００以上である。この判定基準となる一定期間および一定回数は、適宜設定可能である。この判定基準は、画像管理部４０ｂに記憶されている。
ステップＳ１８において、アクセスカウントが一定期間内に、一定回数未満である場合には、公序良俗に反する画像ではないと判定され、画像の公開を継続する。
【０１０５】
一方、ステップＳ１８において、アクセスカウントが一定期間内に、一定回数以上である場合には、管理者が管理システム２４を用いて画像管理４０ｂにより、該当する画像が確認される（ステップＳ２０）。
次に、該当する画像を公序良俗に反する画像であるか否かが判定される（ステップＳ２２）。
ステップＳ２２において、管理者により、該当する画像が公序良俗に反する画像ではないと判断された場合には、アクセスカウントが一定期間内に、一定回数以上であっても、公序良俗に反する画像ではないため、画像の公開を継続する。
【０１０６】
一方、ステップＳ２２において、管理者により、該当する画像が公序良俗に反する画像であると判断された場合には、該当する画像の公開を停止するか、または該当する画像を削除する（ステップＳ２４）。
【０１０７】
このように、本実施例においては、公開された画像毎に、アクセス数をカウントして、このアクセスカウントが一定期間内に、一定回数以上であるようなアクセスが集中している画像を特定するとともに、管理者が確認して、公序良俗に反する画像に該当する画像の場合には、該当する画像の公開を停止するか、または該当する画像を削除する。
また、本実施例においては、公序良俗に反する画像の公開を停止するか、または削除するため、検出した公序良俗に反する画像については、再度アップロードされるまでの間は、閲覧できなくなり、悪用されることがない。
【０１０８】
次に、本発明の第２の実施例のネットシステムについて説明する。
図３は、本発明の第２の実施例に係る画像ネットワークシステムにおける公序良俗に反する画像の特定方法およびその処置方法を工程順に示すフローチャートである。
なお、本実施例のネットシステムは、公序良俗の判定基準が異なり、それ以外の構成は、第１実施例のネットシステム１０（図１参照）と同様であるため、その詳細な説明は省略する。
【０１０９】
また、本実施例のネットシステムにおいては、公開された画像毎に、第三者からのプリント注文枚数をカウントする。このプリント注文枚数より、公開から一定期間経過後もプリントされない画像、すなわち、閲覧のためだけに公開されている可能性がある画像を特定し、公序良俗に反するものであるかを確認して、画像の公開を停止、または画像を削除する。
【０１１０】
本実施例のネットシステムにおける公序良俗の判定基準（プリント頻度（一定期間内でのプリント数））は、例えば、画像が公開されてから画像のプリント注文枚数が、例えば、１ヶ月間経過後も０枚であることとする。この場合、公序良俗に反するものであるかが確認される。なお、本実施例においても、判定基準は、画像管理４０ｂに記憶されている。
また、本実施例においては、画像管理４０ｂは、各画像について、プリント注文されたプリント注文数をカウントする機能を有する。
【０１１１】
図３に示す本実施例における公序良俗に反する画像の特定方法およびその処置方法においては、ステップＳ３０〜ステップＳ３２は、第１の実施例におけるステップＳ１０〜ステップＳ１２（図２参照）と同様の工程であるため、その詳細な説明は省略する。このため、ステップＳ３４から説明する。
【０１１２】
本実施例においては、アップロードした画像を利用者が第三者に公開した後、公開した画像に第三者がアクセスし、プリント注文した場合（ステップＳ３４）、画像のプリント注文数がカウントアップされる（ステップＳ３６）。
【０１１３】
次に、利用者が公開した画像のプリント枚数が一定期間経過後も０枚であるか否かが判定される（ステップＳ３８）。
このステップＳ３８において、プリント枚数が一定期間内に１枚以上である場合には、公序良俗に反する画像ではないと判定され、画像の公開を継続する。
【０１１４】
一方、ステップＳ３８において、プリント枚数が一定期間内に０枚である場合には、公序良俗に反する画像であると判定される。管理者により、該当する画像が確認される（ステップＳ４０）。
なお、ステップＳ４０以降からステップＳ４４までの工程は、第１の実施例のステップＳ２０〜ステップＳ２４（図２参照）と同様の工程であるため、その詳細な説明は省略する。なお、本実施例においても、公序良俗に反する画像の公開を停止するか、または削除する。
【０１１５】
このように、本実施例においては、公開された画像毎に、プリント枚数をカウントして、プリント枚数が一定期間内に０枚である画像を特定し、この画像は、閲覧のためだけに公開されている可能性があるため、管理者が確認して、公序良俗に反する画像に該当する画像の場合には、該当する画像の公開を停止するか、または該当する画像を削除する。
また、本実施例においても、公序良俗に反する画像の公開を停止するか、または削除するため、検出した公序良俗に反する画像については、再度アップロードされるまでの間は、閲覧できなくなり、悪用されることがない。
【０１１６】
次に、本発明の第３の実施例について説明する。
図４は、本発明の第３の実施例に係る画像ネットワークシステムにおける公序良俗に反する画像の特定方法およびその処置方法を工程順に示すフローチャートである。
【０１１７】
なお、本実施例のネットシステムは、第三者に閲覧可能に公開された画像が公序良俗に反する画像であった場合、画像をアップロードしたユーザを画像管理４０ｂで特定し、このユーザにサイト管理４０ｃにより警告をする。
警告されたユーザが、既に一定回数（所定の回数）以上の警告を受けている場合、ユーザへのサービス提供を制限する点が異なり、それ以外の構成は、第１実施例のネットシステム１０（図１参照）と同様であるため、その詳細な説明は省略する。
【０１１８】
なお、本実施例における警告とは、公開された画像が公序良俗に反する画像であった場合に、例えば、電子メールを用いて警告するか、または閲覧しているユーザの表示画面に、警告を示す画面を表示させて警告することである。
また、本実施例においては、警告を受けたユーザについて、その警告の回数をカウントしており、この警告のカウントは、会員管理４０ａによりなされるものであり、会員情報に記録される。
【０１１９】
図４に示す本実施例における公序良俗に反する画像の特定方法およびその処置方法においては、ステップＳ５０〜ステップＳ５２は、第１の実施例におけるステップＳ１０〜ステップＳ１２（図２参照）と同様の工程であるため、その詳細な説明は省略する。このため、ステップＳ５４から説明する。
本実施例においては、アップロードした画像を利用者が第三者に公開した後、公開された画像が公序良俗に反する画像であるか否かが判断される（ステップＳ５４）。
ステップＳ５４において、公序良俗に反する画像ではないと判定された場合には、画像の公開を継続する。
【０１２０】
一方、ステップＳ５４において、公序良俗に反する画像であると判定された場合、画像をアップロードしたユーザを特定する（ステップＳ５６）。本実施例においては、ユーザは、第１の利用者端末１４ａを介してアクセスされたセンター会員である。このため、ユーザの会員情報は、データベース／ファイルサーバ１２ａに記憶されており、容易にユーザが特定される。
【０１２１】
次に、ステップＳ５６において特定されたユーザが、これまでに一定回数以上の警告を受けたか否かが確認される（ステップＳ５８）。この警告を受けた否かの情報は、センター会員の場合には、会員情報に記録される。
【０１２２】
ステップＳ５８において、ユーザが一定回数以上の警告を受けている場合には、ユーザへのサービスの提供を制限する（ステップＳ６０）。このサービスの提供の制限とは、例えば、ネットセンターへのサインイン不可、およびアルバムサービスの提供の停止などである。
【０１２３】
一方、ステップＳ５８において、ユーザが一定回数以上の警告を受けていない場合には、サイト管理４０ｃによりユーザに警告する（ステップＳ６２）。このユーザへの警告は、例えば、電子メールによりなされる。
次に、ユーザの警告回数をカウントアップする（ステップＳ６４）。
なお、本実施例においては、画像が公序良俗に反するものである場合には、第１の実施例と同様（ステップＳ２２〜Ｓ２４参照）に、画像の公開の停止、または画像の削除がなされる。
【０１２４】
このように、公開された画像が公序良俗に反する画像であった場合、画像をアップロードしたユーザを画像管理４０ｂが特定し、画像を公開したユーザが、既に一定回数以上の警告を受けている場合、このユーザへのサービス提供をサイト管理４０ｃにより制限することにより、公序良俗違反画像の公開の再発を防止することができる。
【０１２５】
なお、本実施例においては、サイト管理４０ｃにより、警告をすることなく、公序良俗に反する画像をアップロードしたユーザを画像管理４０ｂで特定し、このユーザに対してサイト管理４０ｃにより、サービス提供を制限する構成としてもよい。
【０１２６】
次に、本発明の第４の実施例について説明する。
図５は、本発明の第４の実施例に係る画像ネットワークシステムにおける公序良俗に反する画像の特定方法およびその処置方法を工程順に示すフローチャートである。
【０１２７】
なお、本実施例のネットシステムは、公開された画像が公序良俗に反する画像であった場合、この画像に一定期間内に一定回数以上アクセスした第三者（閲覧者）を画像管理４０ｂで特定し、この第三者（閲覧者）へのサービス提供をサイト管理４０ｃにより制限する点が異なり、それ以外の構成は、第１実施例のネットシステム１０（図１参照）と同様であるため、その詳細な説明は省略する。
なお、本実施例において、第三者（閲覧者）がアクセスしたことは、サイト管理４０ｃに管理されており、さらに各画像に対してアクセスした第三者については、画像管理４０ａにおいて管理されている。
【０１２８】
図５に示す本実施例における公序良俗に反する画像の特定方法およびその処置方法においては、ステップＳ７０〜ステップＳ７４は、第１の実施例におけるステップＳ１０〜ステップＳ１４（図２参照）と同様の工程であるため、その詳細な説明は省略する。このため、ステップＳ７６から説明する。
本実施例においては、アップロードした画像を利用者が第三者に公開した後、公開された画像に第三者がアクセスして画像を閲覧した場合（ステップＳ７６）、閲覧された画像とともに、閲覧した第三者が、画像管理４０ａで閲覧者（接続端末）毎にアクセス情報が蓄積される。このアクセス情報とは、例えば、ＩＰアドレスなどの端末を特定することができる特定情報ならびに閲覧した画像およびアクセス回数である。
【０１２９】
次に、公序良俗の違反画像の監視作業において、公開された画像が公序良俗に反する画像であるか否かが判断される（ステップＳ７８）。
ステップＳ７８において、公序良俗に反する画像ではないと判定された場合には、画像の公開を継続する。
【０１３０】
一方、ステップＳ７８において、公序良俗に反する画像であると判定された場合、画像へのアクセスカウントが一定期間内に、一定回数以上であるか否か判定される（ステップＳ８０）。
なお、ステップＳ８０において、一定期間内に、一定回数以上とは、例えば、１０日以内に、アクセスカウントが１００以上である。
【０１３１】
ステップＳ８０において、第三者からのアクセスカウントが一定期間内に、一定回数未満である場合には、第三者へのサービスの提供は制限しないものの、画像の公開を停止するか、または画像を削除する。
【０１３２】
一方、ステップＳ８０において、アクセスカウントが一定期間内に、一定回数以上である場合には、第三者へのサービスの提供は制限する（ステップＳ８２）とともに、画像の公開を停止するか、または画像を削除する。この第三者へのサービスの提供の制限とは、例えば、公開画像へのアクセスの禁止などである。
【０１３３】
なお、本実施例においても、画像が公序良俗に反するものである場合には、第１の実施例と同様（ステップＳ２２〜Ｓ２４参照）に、画像の公開の停止、または画像の削除がなされる。
【０１３４】
このように、公開された画像が公序良俗に反する画像であった場合、画像にアクセスする第三者を画像管理４０ｂで特定し、公開した画像にアクセスした第三者のアクセスカウントが、一定期間内に、一定回数以上である場合、この第三者へのサービス提供をサイト管理４０ｃで制限することにより、公序良俗違反画像の閲覧を制限でき、悪用の再発を防止することができる。
【０１３５】
次に、本発明の第５の実施例について説明する。
図６は、本発明の第５の実施例に係る画像ネットワークシステムにおける公序良俗に反する画像の特定方法およびその処置方法を工程順に示すフローチャートである。図７は、画像のアクセス状況の統計情報の一例を示す模式図である。
【０１３６】
なお、本実施例のネットシステムは、公開された画像毎に、閲覧者の属性情報をセンターに蓄積する。公開された画像が公序良俗に反する画像であった場合、管理者は、画像にアクセスした第三者の統計情報から、公序良俗画像の閲覧傾向を把握する点が異なり、それ以外の構成は、第１実施例のネットシステム１０（図１参照）と同様であるため、その詳細な説明は省略する。
【０１３７】
本実施例においては、後述するように、第三者の属性情報は、画像管理４０ｂにより、各画像毎に管理されており、画像管理４０ｂにより、各画像毎に統計情報（アクセス状況）とされる。
【０１３８】
図６に示す本実施例における公序良俗に反する画像の特定方法およびその処置方法においては、ステップＳ９０〜ステップＳ９４は、第１の実施例におけるステップＳ１０〜ステップＳ１４（図２参照）と同様の工程であるため、その詳細な説明は省略する。このため、ステップＳ９６から説明する。
【０１３９】
本実施例においては、アップロードした画像を利用者が第三者に公開した後、公開された画像に第三者がアクセスして画像を閲覧する場合、例えば、少なくとも年代、性別、アクセス時期のアンケートに回答すると画像の閲覧ができるようする。これにより、第三者が画像を閲覧するときに、画像管理４０ｂに、閲覧者の属性情報が蓄積される。
【０１４０】
次に、公序良俗の違反画像の監視作業において、公開された画像が公序良俗に反する画像であるか否かが判断される（ステップＳ９８）。
ステップＳ９８において、公序良俗に反する画像ではないと判定された場合には、画像の公開を継続する。
【０１４１】
一方、ステップＳ９８において、公序良俗に反する画像であると判定された場合、管理者は、第三者の属性情報を統計処理して得られた統計情報から公序良俗に反する画像のアクセス状況を把握する（ステップＳ１００）。
なお、本実施例においても、画像が公序良俗に反するものである場合には、第１の実施例と同様（ステップＳ２２〜Ｓ２４参照）に、画像の公開の停止、または画像の削除がなされる。
【０１４２】
この第三者の属性情報についての統計情報は、例えば、図７に示すように表わされる。
図７に示す統計情報を表わす画面５０は、統計情報部５２と、タイトル５４と、グラフを表示するウインドウ６０とを有する。
統計情報部５２は、統計期間を「過去１ヶ月」、「過去３ヶ月」、「過去６ヶ月」と切り換える３つのチェックボタンが設けられた統計期間変更部５６ａと、統計対象を「性別」、「アクセス時間別」、「アクセス時期別」と切り換える３つのチェックボタンが設けられた統計対象変更部５６ｂと、統計情報を表示させるボタン５８とからなる。このボタン５８により、ウインドウ６０にグラフが表示される。
【０１４３】
また、ウインドウ６０は、第三者の統計情報として、閲覧状況（アクセス状況）を性別で分類した第１の統計グラフ６２、第２の統計グラフ６４を表示するものである。
第１の統計グラフ６２は、男性の閲覧状況を年代別の頻度で示したものである。また、第２の統計グラフ６４は、男性の閲覧状況を年代別の頻度で示したものである。
【０１４４】
本実施例においては、例えば、この閲覧傾向を用いて、公開された画像が公序良俗に反する画像を特定することができる。これにより、公序良俗違反画像の閲覧の再発を防止することができる。
このように、公開された画像が公序良俗に反する画像であった場合、管理者は、画像にアクセスする第三者の属性を統計的に分析し、公序良俗違反の画像のアクセス状況を把握することができる。このため、公序良俗違反の画像にアクセスした第三者のアクセスカウントが、一定期間内に、一定回数以上である場合、この第三者へのサービス提供を制限することにより、公序良俗違反画像の公開の再発を防止することができる。
【０１４５】
なお、本実施例においては、上述の第１の実施例、第２の実施例および第４の実施例に適用することができる。これにより、公序良俗に違反する画像の傾向を把握することができるため、管理者による公序良俗の違反画像の監視作業が軽減される。
【０１４６】
また、上述の第１〜第５の実施例においても、閲覧可能な画像へのアクセスは、特に限定されるものではないが、上述の第１〜第５の実施例においては、閲覧可能な画像について、直接ＵＲＬ（アドレス）を指定してアクセスすることを禁止することが好ましい。
ここで、図８は、本発明の画像ネットワークシステムのシステム構成を簡略化して示す模式図である。
【０１４７】
図８に示すネットシステム１０は、第三者の端末７０からＵＲＬ（アドレス）を直接指定して、公開画像にアクセスすることができない構成である。
本実施例においては、端末７０から公開画像のＵＲＬ（アドレス）を直接指定した場合、端末７０の表示画面には、閲覧可能な画像が表示されず、エラー画面が表示される。
このように、閲覧可能な画像へのＵＲＬ（アドレス）の直接指定によるアクセスを規制することにより、閲覧可能な画像へのアクセスチャネルを管理することができる。
【０１４８】
なお、本発明のプリント受注・管理サーバーシステムは、本発明の画像ネットワークシステムのネットセンターに相当するものであり、本発明のプリント受注・管理サーバーシステムにおいても、上述の第１の実施例〜第５の実施例の画像ネットワークシステムと同様の効果を得ることができることは言うまでもない。
【０１４９】
以上、本発明のプリント受注・管理サーバーシステムおよび画像ネットワークシステムについて詳細に説明したが、本発明は、上記実施例に限定はされず、本発明の要旨を逸脱しない範囲において、各種の改良または変更を行なってもよいのは、もちろんである。
【図面の簡単な説明】
【０１５０】
【図１】本発明の画像ネットワークシステムの第１の実施例のシステム構成を示す模式図である。
【図２】本実施例の画像ネットワークシステムにおける公序良俗に反する画像の特定方法およびその処置方法を工程順に示すフローチャートである。
【図３】本発明の第２の実施例に係る画像ネットワークシステムにおける公序良俗に反する画像の特定方法およびその処置方法を工程順に示すフローチャートである。
【図４】本発明の第３の実施例に係る画像ネットワークシステムにおける公序良俗に反する画像の特定方法およびその処置方法を工程順に示すフローチャートである。
【図５】本発明の第４の実施例に係る画像ネットワークシステムにおける公序良俗に反する画像の特定方法およびその処置方法を工程順に示すフローチャートである。
【図６】本発明の第５の実施例に係る画像ネットワークシステムにおける公序良俗に反する画像の特定方法およびその処置方法を工程順に示すフローチャートである。
【図７】画像のアクセス状況の統計情報の一例を示す模式図である。
【図８】本発明の画像ネットワークシステムのシステム構成を簡略化して示す模式図である。
【符号の説明】
【０１５１】
１０、１０ａ  画像ネットワークシステム（ネットシステム）
１２  ネットセンター
１２ａ  データベース／ファイルサーバ（ＤＢ／ＦＳ）
１２ｂ  フロントエンド
１２ｃ  バックエンド
１４  利用者端末
１４ａ  第１の利用者端末
１４ｂ  第２の利用者端末
１４ｃ  第３の利用者端末
１６  ラボシステム
１６ａ  受注モジュール
１８  リテーラシステム
１８ａ  会員情報データベース（会員情報ＤＢ）
２０  決済サイト
２２  画面開発システム
２４  管理システム
２６  デザイン確認用サーバ
３０  受注システム
３０ａ  会員登録／認証
３０ｂ  アルバム機能
３０ｃ  シェアボックス機能
３２  オンラインプリント注文
３４  アプリケーションダウンロード
４０ａ  会員管理
４０ｂ  画像管理
４０ｃ  注文管理
４２  ラボ受注サーバ
５０  画面
６２  第１のグラフ
６４  第２のグラフ
７０  端末
【図１】
2007317124.tif 000003
【図２】
2007317124.tif 000004
【図３】
2007317124.tif 000005
【図４】
2007317124.tif 000006
【図５】
2007317124.tif 000007
【図６】
2007317124.tif 000008
【図７】
2007317124.tif 000009
【図８】
2007317124.tif 000010